(57)【要約】      （修正有）【課題】両面記録で、シートの表裏の面の間で画質の違いが生じないインクジェット記録装置の提供。【解決手段】粘着面を備え、粘着面でシートを保持しながら搬送する搬送部と、搬送部によって搬送されるシートに記録を行うことが可能な記録部と、搬送部によって保持されるシートを剥離する剥離部と、搬送部によって搬送され、剥離されたシートの表裏を反転するシート反転部とを具える。制御部は、記録部によって記録を行わない状態で、予め搬送手段によってシートの搬送を行いＳ３０２、搬送の後シート反転部によってシートの表裏を反転しＳ３０３、その後、搬送部によってシートを搬送し、反転されたシートの第１面に記録部によって記録を行うＳ３０４。そして、第１面の記録の後、シート反転部によってシートの表裏を反転しＳ３０５、その後、搬送部によってシートを搬送し、反転されたシートの第２面に記録部によって記録を行うＳ３０６よう制御する。【選択図】図３
2016150440.tif 000002
【特許請求の範囲】
【請求項１】
粘着面を備え、前記粘着面でシートを保持しながら搬送する搬送手段と、
前記搬送手段によって搬送されるシートに記録を行う記録手段と、
前記粘着面によって保持されるシートを剥離する剥離手段と、
前記搬送手段によって搬送され、剥離されたシートの表裏を反転する反転手段と、
前記記録手段によって記録を行わない状態で前記搬送手段によってシートの搬送を行い、前記搬送の後に前記反転手段によってシートの表裏を反転し、その後、前記搬送手段によってシートを搬送し、当該反転されたシートの面に前記記録手段によって記録を行うよう制御する制御手段と、
を具えたことを特徴とするインクジェット記録装置。
【請求項２】
粘着面を備え、前記粘着面でシートを保持しながら搬送する搬送手段と、
前記搬送手段によって搬送されるシートに記録を行う記録手段と、
前記粘着面によって保持されるシートを剥離する剥離手段と、
前記搬送手段によって搬送され、剥離されたシートの表裏を反転する反転手段と、
前記記録手段によって記録を行わない状態で、予め前記搬送手段によってシートの搬送を行い、前記搬送の後に前記反転手段によってシートの表裏を反転し、その後、前記搬送手段によってシートを搬送し、当該反転されたシートの第１面に前記記録手段によって記録を行い、該第１面の記録の後、前記反転手段によってシートの表裏を反転し、その後、前記搬送手段によってシートを搬送し、当該反転されたシートの第２面に前記記録手段によって記録を行うよう制御する制御手段と、
を具えたことを特徴とするインクジェット記録装置。
【請求項３】
前記制御手段は、前記第１面と前記第２面に記録するよう制御する第１モードに加え、予め前記搬送手段によってシートの搬送を行わずに、前記記録手段によって前記搬送手段によって搬送されるシートの第１面に記録を行うよう制御する第２モードを有することを特徴とする請求項２に記載のインクジェット記録装置。
【請求項４】
前記制御手段は、前記第２モードは片面記録として制御し、前記第１モードは両面記録として制御することを特徴とする請求項３に記載のインクジェット記録装置。
【請求項５】
前記制御手段は、前記第１モードと前記第２のモードをシートの種類に応じて切替えることを特徴とする請求項３または４に記載のインクジェット記録装置。
【発明の詳細な説明】
【技術分野】
【０００１】
本発明は、インクジェット記録装置および記録方法に関し、詳しくは、搬送ベルトの粘着面によってシートを保持して搬送する記録装置に関するものである。
【背景技術】
【０００２】
従来、シートを搬送ベルトの粘着面によって保持しつつ搬送し、その搬送されるシートに記録を行う記録装置が知られている（特許文献１）。具体的には、記録媒体としてのシートの一方の面が搬送ベルトの粘着面に接してその粘着性によってシートが搬送ベルトに貼り付けられる。そして、シートの他方の面に対して、記録ヘッドからインクが吐出されて記録が行われる。
【先行技術文献】
【特許文献】
【０００３】
【特許文献１】特開平８−２６５８８号公報
【発明の概要】
【発明が解決しようとする課題】
【０００４】
ところで、記録装置の中には、シートの両面に記録を行う、いわゆる両面記録を行うものがある。この両面記録を、上述した、粘着性によってシートを搬送ベルトに保持する構成によって行う場合には、両面が記録されたシートの色味等の画質が、表面と裏面との間で異なることがある。この場合には、両面記録において一定の画質を保てない、という問題を生じることになる。
【０００５】
例えば、粘着性の搬送ベルトに貼り付けられたシートの面は、搬送ベルトの粘着面から剥離するときにその面に応力が作用することによりその面の繊維状態が僅かながら変化することがある。また、粘着面を構成する部材に例えばシリコンゴムなどを用いた場合、微量ではあるが、粘着部材からのオイルがシートに付着することもある。このように、シートにおいて、ベルトに既に粘着したことがある面と、未だ粘着したことがない面とでは、状態が異なる場合がある。一方、特に、インクジェット記録方式では、オイル成分や繊維状態の変化などによってシートの状態が異なると、着弾するインクの表面張力が相対的に異なって、例えば形成されるインクドットの滲みの程度が異なり最終的に画質の違いとなる。
【０００６】
両面記録では、給紙部から給紙されたシートに対してその第１面（表側の面）に記録し、シートを表裏反転した後、第２面（裏側の面）に記録すると、上述した、未だベルトに粘着したことがない面に記録が行われ、次に、ベルトに既に粘着したことがある面に記録が行われることになる。その結果、第１面と第２面との間に画質の違いが生じる場合がある。
【０００７】
本発明は、上述した問題を解決するものであり、両面記録においてシートの表裏の面の間で画質の違いが生じないようにすることが可能なインクジェット記録装置を提供することを目的とする。
【課題を解決するための手段】
【０００８】
そのために本発明は、インクジェット記録装置において、粘着面を備え、前記粘着面でシートを保持しながら搬送する搬送手段と、前記搬送手段によって搬送されるシートに記録を行う記録手段と、前記粘着面によって保持されるシートを剥離する剥離手段と、前記搬送手段によって搬送され、剥離されたシートの表裏を反転する反転手段と、前記記録手段によって記録を行わない状態で前記搬送手段によってシートの搬送を行い、前記搬送の後に前記反転手段によってシートの表裏を反転し、その後、前記搬送手段によってシートを搬送し、当該反転されたシートの面に前記記録手段によって記録を行うよう制御する制御手段と、を具えたことを特徴とする。
【発明の効果】
【０００９】
以上の構成によれば、インクジェット記録装置における両面記録で、シートの表裏の面の間で画質の違いが生じないようにすることが可能となる。
【図面の簡単な説明】
【００１０】
【図１】本発明の実施形態に係るインクジェット記録装置の、主にシート搬送のための構成を示す図である。
【図２】図１に示した記録装置の制御系の構成を示すブロック図である。
【図３】本発明の第１実施形態に係る、両面記録の搬送および記録の制御を示すフローチャートである。
【図４】本発明の第２実施形態に係る、両面または片面記録の搬送および記録の制御を示すフローチャートである。
【発明を実施するための形態】
【００１１】
以下、図面を参照して本発明の実施形態を詳細に説明する。
【００１２】
図１は、本発明の一実施形態に係るインクジェット記録装置の、主にシート搬送のための構成を示す図である。図１において、搬送ベルト１０１は、その表面に粘着性を有したゴムが形成されたベルトを無端状に構成したものである。すなわち、搬送ベルト１０１のシートが当接する面には粘着面が形成されており、これにより、搬送ベルト１０１はシートを保持しつつ搬送することができる。搬送ベルト１０１は、上流側のベルト駆動ローラ１０２と下流側のベルト従動ローラ１０３とに架け回され、上流側のベルト駆動ローラ１０２を回転駆動することによって、走行（移動）することができる。そして、不図示のシートは、給紙部から給紙ローラ対１０６、１０７によって給紙され、その給紙に伴って粘着固定ローラ１０６によって搬送ベルト１０１に順次貼り付けられて行く。この貼り付けによって搬送ベルト１０１に保持されたシートに対して、記録ヘッド１０４から記録データに応じてインクが吐出されて記録が行われる。
【００１３】
記録ヘッド１０４は、シートの搬送方向と直交する方向に複数のノズル列を固定して並べたライン型記録ヘッドである。なお、本発明の適用はこの形態に限られず、シートの搬送方向と直交する方向にキャリッジを移動させて記録ヘッドの走査を行いシートに対して順次記録を行うシリアル型記録ヘッドの形態でもよい。記録ヘッド１０４は、ブラック（Ｋ）、シアン（Ｃ）、マゼンタ（Ｍ）、イエロー（Ｙ）、の４色のインクをそれぞれ吐出する４つのノズル列を備えている。
【００１４】
搬送路において記録ヘッド１０４の下流には、乾燥定着部１１３が設けられ、これにより、シートの紙面の乾燥やインクの定着を行うことができる。乾燥の手法としては、電気ヒータと送風機を組み合わせた温風乾燥方法や、赤外線ランプによるもの、あるいは熱ローラを圧接するものなどの手法を用いることができる。
【００１５】
以上の構成において、給紙ローラ１０７と給紙従動ローラ１０６は、シートを挟持し、回転することによって記録ヘッド１０４による記録部にシートを給紙する。その際、給紙ローラ１０７と給紙従動ローラ１０６とによって給紙されるシートを粘着固定ローラ１０５によって搬送ベルト１０１に粘着固定する。記録ヘッド１０４でシートに画像を記録した後、シートを搬送ベルト１０１のベルト従動ローラ１０３側の屈曲部で剥離し、下流ローラ１０９と下流従動ローラ１０８と協働して搬送を行う。
【００１６】
本実施形態の記録装置は、片面記録と両面記録の両方を、記録モードを切替えることによって実行することができるものである。そして、片面記録と両面記録のいずれのモードでもシートが搬送される、上述の搬送路、つまり搬送ベルト１０１によって搬送される区間の搬送路を、本明細書では、「固定搬送部」という。
【００１７】
図１において、下流ローラ１０８の下流には紙パス分岐部がある。片面記録の場合は、シートは、不図示の紙パス切り替え機構によって排紙される。一方、両面記録の場合、シートは、シート反転機構によってその表裏の面が反転される。詳しくは、先ず、シートは、不図示の紙パス切り替え機構によって反転搬送路１１０に導かれる。そして、シートは、反転搬送路１１０から反転バッファ１１１に搬送された後一旦停止し、スイッチバック動作をするとともに、不図示の紙パス切り替え機構によって反転搬送路１１２に導かれる。さらに、シートは、反転搬送路１１２を搬送されるとともに、その搬送路の終端で、給紙ローラ１０７と給紙従動ローラ１０６のニップ部に導かれる。これにより、シートは、その前に固定搬送部を搬送されたときのシートの表面の裏側が表面となる、表裏反転がなされた状態で搬送ベルト１０１に給紙されて搬送ベルト１０１に粘着固定される。
【００１８】
図２は、図１に示した記録装置の制御系の構成を示すブロック図である。図２において、ＣＰＵ６０１は、ＲＯＭ６０２に格納された制御プログラムを実行して本記録装置における各機構の駆動制御やデータ処理を行う。その際に、ＲＡＭ６０３をワークエリアとして使用する。また、ＣＰＵ６０１は、モータドライバ６０６，６０８，６１０，６１２を介して給紙モータ６０７、搬送ベルトモータ６０９、排紙モータ６１１、および紙パス切り替え機構モータ６１３の駆動を制御して、上述した各搬送路におけるシートの搬送を行う。また、ヘッドドライバ６０４を介して記録ヘッド１０４を駆動しシートに対してインクを吐出する。また、記録すべき画像のデータはホストコンピュータ６１６から、あるいは不図示のスキャナなどの画像入力機構などから与えられ、ＲＡＭ６０３に格納して使用する。ホストコンピュータ６１６に対しユーザから記録動作の実行が命令された場合には、記録画像や記録画像品位などのデータがＩ／Ｆ６１５を介して送信され、ＣＰＵ６０１と通信が行なわれる。
【００１９】
以上説明した搬送機構および記録機構による、両面記録のシーケンスを次に説明する。
【００２０】
（第１実施形態）
図３は、両面記録の搬送および記録の制御を示すフローチャートである。先ず、ステップ３０１で、両面記録のモードか片面記録のモードかを判断する。両面記録であると判断すると、ステップ３０２で、不図示の給紙部からシートを矢印Ａ（図１参照、以下、同様）で示す方向に給紙する。そして、固定搬送部を搬送するとともに、この搬送の間に記録動作を行わないようにする。
【００２１】
次に、ステップ３０３で、シートの表裏反転を行う。すなわち、固定搬送部を通過したシートを矢印Ｂで示す方向に搬送する。そして、矢印Ｃで示す方向に搬送し後一旦シートを停止し、矢印Ｄで示す方向に搬送を行う。これにより、でシートの表裏反転が行われる。その後、シートを、矢印Ｅ、矢印Ｆでそれぞれ示す方向に搬送し、表裏反転したシートを、再び固定搬送部に導く。次に、ステップ３０４で、固定搬送部を搬送するとともに、シートの表面（第１面）に対して記録を行う。
【００２２】
以下、ステップ３０５、３０６で、ステップ３０３、３０４とそれぞれ同様に、表裏反転と、シートの裏面（第２面）に対する記録を行い、排紙する（ステップ３０７）。
【００２３】
ステップ３０１で、片面記録と判断した場合は、ステップ３０８で、固定搬送部を搬送するとともに、シートの面に対して記録を行い、排紙する。
【００２４】
以上説明したように、両面記録において、最初の固定搬送部の搬送で記録動作を不実施とすることにより、シートの第１面および第２面はともに固定搬送部で搬送ベルト１０１に粘着した履歴のある面に記録を行うことができる。その結果、記録の再のシートの表面性が同一条件になり、両面記録による色みの違いなど画質の違いが生じることを防止することができる。
【００２５】
なお、上述した例は、片面記録と両面記録を切替えて実行可能な記録装置に関するものであるが、本発明の適用はこの形態に限られず、両面記録専用の装置にも適用することができることはもちろんである。
【００２６】
（第２実施形態）
本発明の第２実施形態は、シートの種類に応じて両面記録または片面記録を実行し、両面記録を実行する際は、第１実施形地と同様の制御を行うものである。
【００２７】
インクジェット方式による記録に用いられるシートは、パルプのみを原材料とするものや、表面にカオリンや炭酸カルシウムなど、５〜２０ｕｍ程度の塗工層（コート層）を形成したものなどがある。粘着搬送では、このようなシートの種類によって相対的に粘着性が異なることに起因して、シートを剥離する際にシート表面の変化が著しいシートと、変化しないシートがある。
【００２８】
本実施形態では、シートが搬送ベルトから剥離する際のシート表面の状態の変化の程度に応じて、両面記録を可能とするか、片面記録とするかを決定する。図４は、両面または片面記録の搬送および記録の制御を示すフローチャートである。
【００２９】
本処理が起動されると、先ず。ステップ４０１で、記録に用いるシートの種類が、搬送ベルトから剥離する際に表面の状態が変化しない種類か変化する種類か否かを判断する。表面の状態が変換しない種類のシートであると判断した場合は、ステップ４１０で、ユーザに対する片面記録を行う旨の報知に対して、ユーザから許可があるか否かを判断する。片面記録でよい旨の判断の場合は、ステップ４０９で、第１実施形態と同様に片面記録を行い、ステップ４０８で、排紙して本処理を終了する。また、ステップ４１０で、ユーザが片面記録を許容しない（望まない）場合は、本処理を終了する。なお、このようにユーザが片面記録を許容しない（望まない）場合に、通常の両面記録を行うようにしてもよい。すなわち、本実施形態によれば、１回目の固定搬送部における搬送においてシートの表面に記録を行わないようにしているが、この搬送で記録を行い、表裏反転した後、裏面に記録する、両面記録を行うようにしてもよい。
【００３０】
ステップ４０１で、シートの表面の状態が比較的大きく変化する種類のシートであると判断した場合は、ステップ４０２で、記録の設定が両面記録か片面記録かを判断する。片面記録であると判断したときは、ステップ４０９で、第１実施形態と同様に片面記録を行い、ステップ４０８で、排紙して本処理を終了する。一方、両面記録であると判断したときは、ステップ４０３〜４０７で、第１実施形態と同様、本実施形態の両面記録を行う。この処理を行うことによって、シートが搬送ベルトから剥離するときのシート表面の変化が著しいシートにおいては、第１面および第２面共に、固定搬送部によって粘着して保持された履歴のある面となり、記録時のシートの表面性が同一条件になり、これにより、色味の違いを生じることを防止できる。
【００３１】
（他の実施形態）
上述の各実施形態では、両面記録を実行する際に、最初の固定搬送部における搬送で記録を行わないようにしたが、本発明の適用はこの形態に限られない。例えば、片面記録において、上述した各実施形態の両面記録と同様、最初の固定搬送部の搬送で記録を行わないようにしてもよい。そして、この搬送の後、表裏反転した後、次に固定搬送部を搬送するとき、そのときのシートの表面に記録を行うようにする。これにより、上述した本実施形態の両面記録で記録された両面の画質と同じ画質で片面記録を行うことが可能となる。
【符号の説明】
【００３２】
１０１    搬送ベルト
１０４    記録ヘッド
１０５    粘着固定ローラ
１０６    給紙ローラ
１０７    給紙従動ローラ
１０８    下流ローラ
１０９    下流従動ローラ
１１０    反転シート分岐経路
１１１    反転バッファ
１１２    反転搬送路
６０１    ＣＰＵ
【図１】
2016150440.tif 000003
【図２】
2016150440.tif 000004
【図３】
2016150440.tif 000005
【図４】
2016150440.tif 000006